【事件の表示】
　特許第３２６９５３８号「立体模様化粧紙の製造方法」の請求項１、２に係る特許に対する特許異議の申立てについて、次のとおり決定する。
【結　論】
　特許第３２６９５３８号の請求項１ないし２に係る特許を維持する。
【理　由】
１．手続の経緯
　本件特許第３２６９５３８号の請求項１、２に係る発明についての出願は、平成５年６月３０日の出願であって、平成１４年１月１８日にその特許権の設定登録がなされ、その後、平成１４年９月２５日に特許異議申立人有限会社神奈川フィールドサービス（以下、「申立人」という）より特許異議の申立てがなされたものである。
　
２．本件発明
　本件の請求項１、２に係る発明（以下、「本件発明１」、「本件発明２」という）は、本件特許明細書の特許請求の範囲請求項１、２に記載された事項により特定される次のとおりのものである。
「【請求項１】原紙の表面に水性のシーラー層を設けた後、水性の絵柄印刷層を設け、その上に撥液剤を含む水性の硬化型インキで導管模様を形成した後、更にその上の全面に撥液剤を含む水性の硬化型トップコートを施すことにより、上記導管模様を形成した部分の上記トップコートが弾かれて凹状部を形成することを特徴とする立体模様化粧紙の製造方法。
【請求項２】前記トップコートは電離放射線硬化型であることを特徴とする請求項１記載の立体模様化粧紙の製造方法。」
　
３．特許異議申立ての理由の概要
　申立人は、甲第１〜４号証を提出し、本件発明１、２は、甲第１〜４号証に記載のものから当業者が容易に発明できたものであるから、特許法第２９条第２項の規定に違反して特許されたものであり、本件発明１、２に係る特許は取り消されるべきものである旨主張している。
甲第１号証：米国特許第４６５２４８２号明細書
甲第２号証：特開昭６０−１３２６８０号公報
甲第３号証：実開平５−１０４９９号公報
甲第４号証：特開昭６１−２９１０７５号公報
　
４．甲各号証について
　申立人が提示した甲各号証には、以下のような事項が記載されている。
（１）甲第１号証
（１−ａ）「（ａ）ラッカー性撥液剤を含む水溶性タンパク質系グラビア印刷インキを用いて、一方の面に、ラッカー塗装が他の領域より薄くなるべき領域の模様を印刷し、そして乾燥した紙シートを、その印刷面からＤＩＮ５３２１１に準拠し、ＡＫ−４ビーカー中で２０℃にて測定した粘度が１５〜３０秒であるメラミン樹脂の水溶性含浸溶液に、非印刷面上に前記樹脂の一面過剰を形成して、含浸させ、
（ｂ）１００℃を超える物体温度の効果の条件下に４．０〜９．０の乾燥値となるまで、含浸シートを乾燥させ、
（ｃ）含浸させ乾燥させたシートの印刷面上に、ＤＩＮ５３２１１に準拠し、ＡＫ−４ビーカー中で２０℃にて測定した粘度が１５〜４０秒である水性ラッカーであって、バインダーとして
（Ａ）水に溶解されたメラミン樹脂と、硬化剤としての水溶性酸との混合物であって、この水溶性樹脂と酸との混合後１００℃を超える温度で１００秒未満で硬化する混合物と、
（Ｂ）（ｉ）水で希釈可能なポリエステル樹脂、（ｉｉ）アクリレート樹脂、（ｉｉｉ）グリセリンのエトキシ化誘導体からなる郡から洗濯されるバインダーとを、
前記（Ａ）バインダーの固形分１００重量部当たり、前記（Ｂ）バインダーの固形分が１０〜２５０重量部となるよう配合してなるものを、本質的に含有する水性ラッカーをコーティングし、そして
（ｄ）加圧することなく、１００℃を超える温度へ加熱された空気の作用によって、塗装されたシートを硬化させることよりなる、
三次元表面構造を有する紙の着色フィルムの製造方法。」（特許請求の範囲第１項、甲第１号証の写しに添付の抄訳の「請求項１」の項参照）
（１−ｂ）「第１塗布工程において印刷色ＩＩを用いて、６０ｇ／ｍ２の紙にグラビア印刷工程で木目模様が印刷され、乾燥後、第２塗布工程において、同じ要領で、ラッカー性撥液剤を含む印刷色ＩＩＩを用いて、導管模様を形成するように印刷される。」（７欄３１〜３８行、甲第１号証の写しに添付の抄訳の「実施例１」の項参照）
（１−ｃ）「しかしながら、この発明では、メラミン樹脂が含浸紙フィルム内において長期間にわたって反応性を維持するように、硬化剤を含まないメラミン樹脂を含浸処理に使用することができる。驚くべきことに、ダイレクトコーターによる加圧中に、満足すべき完全な硬化がいまだに生じる。樹脂の硬化には、明らかに硬化剤の触媒作用が及ぼされており、これは、被覆ラッカー中に含まれる硬化剤が紙フィルムを通過し、該フィルムの下側に適用されて紙フィルムの内部に浸透している樹脂に到達することによるものである。このような状況から、被覆ラッカーと裏面に適用される樹脂の、特に好ましい組み合わせを得ることも可能である。そして、該紙は裂けることはない。」（３欄４７〜６１行、当審において訳作成）
（２）甲第２号証
（２−ａ）「（１）基材上に撥液性物質を含む硬化型撥液性インキ組成物を用いて形成した撥液性印刷層及び必要に応じ通常のインキ組成物を用いて形成した通常印刷層とを少くとも撥液性印刷層が上層に露出するよう形成し、次いで印刷面上に水溶性合成樹脂をバインダーとする硬化型塗料組成物を塗布することにより、前記撥液性印刷層上において前記硬化型塗料組成物が弾かれたことによる凹部を形成することを特徴とする化粧材の製造法。
（２）硬化型塗料組成物は更に撥液性物質を含むことを特徴とする特許請求の範囲第（１）項記載の化粧材の製造法。」（特許請求の範囲第１、２項）
（３）甲第３号証
（３−ａ）「【請求項１】薄葉紙又は混抄紙上に、通常インキ組成物による印刷模様層、該印刷模様層以外の部分に撥液剤を含有したインキ組成物による印刷層、及び全面に該印刷層により撥かれる性質を有する透明なトップコート樹脂層を順次積層してなる化粧紙において、前記薄葉紙又は混抄紙と前記印刷模様層との間に、目止め層を設けたことを特徴とする化粧紙。」（実用新案登録請求の範囲請求項１）
（４）甲第４号証
（４−ａ）「（１）絵柄に同調したエンボスを有する化粧材を製造する方法であって、基材上に硬化抑制剤および撥液剤を添加したインキを用いて任意の絵柄を印刷し、その上に、硬化抑制剤により硬化反応が抑制される紫外線硬化型樹脂を含む表面樹脂層を設け、紫外線硬化することにより絵柄部分を凹部とすることを特徴とする方法。」（特許請求の範囲第１項）
　
５．当審の判断
（１）本件発明１について
　甲第１号証には、摘示記載（１−ａ）、（１−ｂ）からみて、「紙シートの片面にインキを用いて模様を印刷し、乾燥させ、非印刷面上にメラミン樹脂の水溶性含浸溶液を含浸させ、乾燥させ、印刷面上に水性ラッカーをコーティングし、硬化させることによる三次元表面構造を有する紙の着色フィルムの製造方法」の発明が記載されているものと認められる。
　ここで、本件発明１と甲第１号証に記載の発明を対比すると、甲第１号証に記載の「紙シート」は、本件発明１における「原紙」に相当するから、両者は、少なくとも、以下の相違点ａ．で相違する。
　相違点ａ．本件発明１では、原紙と絵柄印刷層の間に水性のシーラー層を設けると特定しているが、甲第１号証に記載の発明では、「紙シートの片面にインキを用いて模様を印刷し」と記載するのみで、特にシーラー層について記載していない点。
　上記相違点ａ．について、検討する。
　甲第１号証に記載の発明は、原紙の片面にインキを用いて印刷した印刷面上に、水性ラッカーをコーティングして硬化させる一方、非印刷面にはメラミン樹脂の水溶性含浸溶液を含浸させている。そして、非印刷面に含浸したメラミン樹脂は、原紙を介して反対側の印刷面上にある被覆ラッカー（＝水性ラッカー）中に含まれる硬化剤が原紙部分を通過して該樹脂に到達することで、樹脂の硬化に硬化剤による触媒作用が及ぼされことが記載（摘示記載（１−ｃ））されていることから、本件発明１のようにシーラー層により浸透を防止するという技術とは相反するもので、甲第１号証に記載の発明からは、シーラー層を設けるという技術思想は導き出せない。
　申立人は、相違点ａ．に関連し、甲第３号証には、本件発明１のシーラー層に相当する目止め層を薄葉紙又は混抄紙（＝原紙）と印刷模様層（＝印刷層）の間に設けることが記載（摘示記載（３−ａ））され、当業者であれば、甲第１号証に記載の発明に甲第３号証に記載の発明を適用することは、容易に想到できる旨主張している。しかしながら、上述したとおり、シーラー層を設けるという思想がない甲第１号証に記載の発明に、シーラー層に関する甲第３号証に記載の発明を適用するということには無理がある。
　また、甲第２、４号証は、上記相違点ａ．について何ら記載するものではない。
　そして、本件発明１は、相違点ａ．により、本件特許明細書記載の顕著な効果が奏されるのである。
　よって、本件発明１は、その他の相違点を検討するまでもなく、甲第１〜４号証に記載の発明に基づいて、当業者が容易に発明をすることができたものとはいえない。
　
（２）本件発明２について
　本件発明２は、本件発明１にさらに発明を特定する事項を付加したものであって、上述（１）で示したのと同様の理由により、甲第１〜４号証に記載の発明に基づいて、当業者が容易に発明をすることができたものとはいえない。
　
６．むすび
　以上のとおりであるから、特許異議申立ての理由及び証拠によっては、本件発明１、２に係る特許を取り消すことができない。
　また、他に本件発明１、２に係る特許を取り消すべき理由を発見しない。
　よって、結論のとおり決定する。
【異議決定日】
平成１５年６月４日（２００３．６．４）